【手続補正書】
【提出日】平成30年9月18日(2018.9.18)
【手続補正１】
【補正対象書類名】特許請求の範囲
【補正対象項目名】全文
【補正方法】変更
【補正の内容】
【特許請求の範囲】
【請求項１】
遊技機の遊技盤に設けられた複数の障害釘の胴部を挟むように形成された複数の挟部を有する整備工具を移動させることで複数の障害釘を整備する障害釘整備工程を含む遊技機の製造方法であって、
前記障害釘整備工程は、
前記整備工具を移動させて複数の障害釘の胴部に前記複数の挟部を配置する第１ステップと、
前記遊技盤の面に沿う方向であるＸＹ軸方向の一方向側に前記複数の挟部を傾ける第２ステップと、
前記整備工具を前記遊技盤の面に対し直交する方向であるＺ軸方向へ移動させて前記遊技盤から離れた位置に前記複数の挟部を配置するとともに前記ＸＹ軸方向の他方向側に前記複数の挟部を傾ける第３ステップと、
を含む
ことを特徴とする遊技機の製造方法。
【手続補正２】
【補正対象書類名】明細書
【補正対象項目名】発明の名称
【補正方法】変更
【補正の内容】
【発明の名称】遊技機の製造方法
【手続補正３】
【補正対象書類名】明細書
【補正対象項目名】０００１
【補正方法】変更
【補正の内容】
【０００１】
本発明は、遊技機の製造方法に関する。
【手続補正４】
【補正対象書類名】明細書
【補正対象項目名】０００８
【補正方法】変更
【補正の内容】
【０００８】
本発明は、障害釘を安定して整備することができる遊技機の製造方法を提供することを目的とする。
【手続補正５】
【補正対象書類名】明細書
【補正対象項目名】０００９
【補正方法】変更
【補正の内容】
【０００９】
手段１の遊技機の製造方法は、
遊技機の遊技盤に設けられた複数の障害釘の胴部を挟むように形成された複数の挟部を有する整備工具を移動させることで複数の障害釘を整備する障害釘整備工程を含む遊技機の製造方法であって、
前記障害釘整備工程は、
前記整備工具を移動させて複数の障害釘の胴部に前記複数の挟部を配置する第１ステップと、
前記遊技盤の面に沿う方向であるＸＹ軸方向の一方向側に前記複数の挟部を傾ける第２ステップと、
前記整備工具を前記遊技盤の面に対し直交する方向であるＺ軸方向へ移動させて前記遊技盤から離れた位置に前記複数の挟部を配置するとともに前記ＸＹ軸方向の他方向側に前記複数の挟部を傾ける第３ステップと、
を含む
ことを特徴としている。
【手続補正６】
【補正対象書類名】明細書
【補正対象項目名】００１０
【補正方法】変更
【補正の内容】
【００１０】
手段２の遊技機の製造方法は、手段１に記載の遊技機の製造方法であって、
前記第２ステップにおいて前記挟部を傾ける傾き角度よりも第４ステップにおいて前記挟部を傾ける傾き角度の方が小さくなるように前記挟部を動作させる
ことを特徴としている。
【手続補正７】
【補正対象書類名】明細書
【補正対象項目名】００１１
【補正方法】変更
【補正の内容】
【００１１】
手段３の遊技機の製造方法は、手段１または２に記載の遊技機の製造方法であって、
前記第３ステップにおいて前記整備工具を前記Ｚ軸方向へ移動させる移動量よりも第５ステップにおいて前記整備工具を前記Ｚ軸方向へ移動させる移動量の方が小さくなるように前記整備工具を移動させる
ことを特徴としている。
【手続補正８】
【補正対象書類名】明細書
【補正対象項目名】００１２
【補正方法】変更
【補正の内容】
【００１２】
手段４の遊技機の製造方法は、手段１〜３のいずれかに記載の遊技機の製造方法であって、
前記第２ステップにおいて前記挟部を傾けた状態を維持する停止時間よりも第４ステップにおいて前記挟部を傾けた状態を維持する停止時間の方が短くなるように前記挟部を動作させる
ことを特徴としている。
【手続補正９】
【補正対象書類名】明細書
【補正対象項目名】００１３
【補正方法】変更
【補正の内容】
【００１３】
手段５の遊技機の製造方法は、手段１〜４のいずれかに記載の遊技機の製造方法であって、
前記挟部を傾ける傾き角度、前記整備工具を前記Ｚ軸方向へ移動させる移動量、前記挟部を傾けた状態を維持する時間の少なくともいずれか１つを前記遊技盤の材質に応じて異ならせる
ことを特徴としている。
【手続補正１０】
【補正対象書類名】明細書
【補正対象項目名】００１４
【補正方法】変更
【補正の内容】
【００１４】
手段６の遊技機の製造方法は、手段１〜５のいずれかに記載の遊技機の製造方法であって、
前記挟部を傾ける傾き角度、前記整備工具を前記Ｚ軸方向へ移動させる移動量、前記挟部を傾けた状態を維持する時間の少なくともいずれか１つを前記遊技盤の厚さまたは幅に応じて異ならせる
ことを特徴としている。
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】削除
【補正の内容】
【手続補正１５】
【補正対象書類名】明細書
【補正対象項目名】００１９
【補正方法】削除
【補正の内容】
【手続補正１６】
【補正対象書類名】明細書
【補正対象項目名】００２０
【補正方法】削除
【補正の内容】
【手続補正１７】
【補正対象書類名】明細書
【補正対象項目名】００２１
【補正方法】変更
【補正の内容】
【００２１】
本発明に記載の障害釘整備装置は、
遊技機（例えば、パチンコ遊技機１）の遊技盤面（例えば、遊技盤２の遊技盤面２ａ）に設けられた障害釘（例えば、障害釘２００）の胴部（例えば、胴部２００ａ）を挟むように配置可能な挟部（例えば、挟持部４０３、凹溝４１１Ｌ，４１１Ｒ／挟持部６０３）と、該挟部を動作させる動作手段（例えば、制御装置５００の制御部５０１、障害釘整備装置３００の整備用アーム３０１、整備用アーム３０１の駆動源など）と、を備え、該動作手段により前記挟部を動作させることで該挟部により前記胴部が挟まれた障害釘を整備する障害釘整備装置（例えば、障害釘整備装置３００）であって、
前記動作手段は、
前記挟部を前記遊技盤面に沿う方向であるＸＹ軸方向（例えば、前後左右方向）と該遊技盤面に対し直交する方向であるＺ軸方向（例えば、上方向）とに移動させることが可能であり、
前記挟部を移動させて前記障害釘の胴部における第１位置に配置する第１ステップ（例えば、制御装置５００の制御部５０１は、凹溝４１１Ｌ，４１１Ｒの開口が命釘２０４側を向くように挟持部４０３を命釘２０４の前側に下降させる。そして、図７（Ｂ）に示すように、図中白矢印方向で示すように挟持部４０３を後方に向けて移動させ、凹溝４１１Ｌ，４１１Ｒ内に左右の障害釘２００，２００の各胴部２００ａがそれぞれ嵌合する第１位置に配置する）と、
前記挟部を前記第１位置において前記ＸＹ軸方向の一方向に傾ける第２ステップ（例えば、制御装置５００の制御部５０１は、図９（Ａ）に示すように、挟持部４０３を、挟持部４０３の下面における左右方向の中央位置ＣＰを基準として、棒状部４０１を右側に向けて所定角度θ２（θ２＝約１３．１５度）傾け、傾けた状態で約０．６秒間動作を停止する）と、
前記挟部を前記第１位置から前記Ｚ軸方向へ移動させて該第１位置よりも前記遊技盤面から離れた第２位置に配置するとともに前記ＸＹ軸方向の他方向（例えば、左方向）に傾ける第３ステップ（例えば、制御装置５００の制御部５０１は、挟持部４０３を第１位置からＺ軸方向に対し上方に約４度傾斜する方向に向けて第１移動量（例えば、移動量Ｍ１＝約０．３５ｍｍ）移動させて第２位置に配置するとともに、図９（Ｂ）に示すように、挟持部４０３を、中央位置ＣＰを基準として棒状部４０１を左側に向けて所定角度θ２（θ２＝約１３．１５度）傾けてＺ軸まで戻した後、さらに左側に向けて所定角度θ３（θ３＝約１２．２５度）傾け、傾けた状態で約０．６秒間動作を停止する）と、
を実行可能である
ことを特徴としている。
この特徴によれば、挟部をＸＹ軸方向の一方向に傾けるだけでなく他方向に戻す動作を行うことで、胴部に対しバランスよく力を与えることができる。また、第１位置に配置した挟部をＸＹ軸方向の一方向に傾けた後、他方向に戻すだけでなく第２位置へ移動させることで、障害釘の胴部の一部のみに曲げ力が集中して作用することを回避できるので、障害釘の胴部を途中で曲げることなく安定して整備することができる。
【手続補正１８】
【補正対象書類名】明細書
【補正対象項目名】００２２
【補正方法】変更
【補正の内容】
【００２２】
本発明に記載の障害釘整備方法は、
遊技機（例えば、パチンコ遊技機１）の遊技盤面（例えば、遊技盤面２ａ）に設けられた障害釘（例えば、障害釘２００）の胴部（例えば、胴部２００ａ）を挟むように配置可能な挟部（例えば、挟持部４０３、凹溝４１１Ｌ，４１１Ｒ／挟持部６０３）と、該挟部を動作させる動作手段（例えば、制御装置５００の制御部５０１、障害釘整備装置３００の整備用アーム３０１、整備用アーム３０１の駆動源など）と、を備えた障害釘整備装置（例えば、障害釘整備装置３００）の前記動作手段が前記挟部を動作させることで該挟部により前記胴部が挟まれた障害釘を整備する障害釘整備方法であって、
前記動作手段は、
前記挟部を前記遊技盤面に沿う方向であるＸＹ軸方向（例えば、前後左右方向）と該遊技盤面に対し直交する方向であるＺ軸方向（例えば、上下方向）とに移動させることが可能であり、
前記挟部を移動させて前記障害釘の胴部における第１位置に配置する第１ステップ（例えば、制御装置５００の制御部５０１は、凹溝４１１Ｌ，４１１Ｒの開口が命釘２０４側を向くように挟持部４０３を命釘２０４の前側に下降させる。そして、図７（Ｂ）に示すように、図中白矢印方向で示すように挟持部４０３を後方に向けて移動させ、凹溝４１１Ｌ，４１１Ｒ内に左右の障害釘２００，２００の各胴部２００ａがそれぞれ嵌合する第１位置に配置する）と、
前記挟部を前記第１位置において前記ＸＹ軸方向の一方向に傾ける第２ステップ（例えば、制御装置５００の制御部５０１は、図９（Ａ）に示すように、挟持部４０３を、挟持部４０３の下面における左右方向の中央位置ＣＰを基準として、棒状部４０１を右側に向けて所定角度θ２（θ２＝約１３．１５度）傾け、傾けた状態で約０．６秒間動作を停止する）と、
前記挟部を前記第１位置から前記Ｚ軸方向へ移動させて該第１位置よりも前記遊技盤面から離れた第２位置に配置するとともに前記ＸＹ軸方向の他方向に傾ける第３ステップ（例えば、制御装置５００の制御部５０１は、挟持部４０３を第１位置からＺ軸方向に対し上方に約４度傾斜する方向に向けて第１移動量（例えば、移動量Ｍ１＝約０．３５ｍｍ）移動させて第２位置に配置するとともに、図９（Ｂ）に示すように、挟持部４０３を、中央位置ＣＰを基準として棒状部４０１を左側に向けて所定角度θ２（θ２＝約１３．１５度）傾けてＺ軸まで戻した後、さらに左側に向けて所定角度θ３（θ３＝約１２．２５度）傾け、傾けた状態で約０．６秒間動作を停止する）と、
を含む
ことを特徴としている。
この特徴によれば、挟部をＸＹ軸方向の一方向に傾けるだけでなく他方向に戻す動作を行うことで、胴部に対しバランスよく力を与えることができる。また、第１位置に配置した挟部をＸＹ軸方向の一方向に傾けた後、他方向に戻すだけでなく第２位置へ移動させることで、障害釘の胴部の一部のみに曲げ力が集中して作用することを回避できるので、障害釘の胴部を途中で曲げることなく安定して整備することができる。
【手続補正１９】
【補正対象書類名】明細書
【補正対象項目名】００２３
【補正方法】変更
【補正の内容】
【００２３】
本発明に記載の障害釘整備装置は、
遊技機（例えば、パチンコ遊技機１）の遊技盤面（例えば、遊技盤２の遊技盤面２ａ）に設けられた障害釘（例えば、障害釘２００）の胴部（例えば、胴部２００ａ）を挟むように配置可能な挟部（例えば、挟持部４０３、凹溝４１１Ｌ，４１１Ｒ／挟持部６０３）と、該挟部を動作させる動作手段（例えば、制御装置５００の制御部５０１、障害釘整備装置３００の整備用アーム３０１、整備用アーム３０１の駆動源など）と、を備え、該動作手段により前記挟部を動作させることで該挟部により前記胴部が挟まれた障害釘を整備する障害釘整備装置（例えば、障害釘整備装置３００）であって、
前記動作手段は、
前記挟部を前記遊技盤面に沿う方向であるＸＹ軸方向（例えば、前後左右方向）と該遊技盤面に対し直交する方向であるＺ軸方向（例えば、上方向）とに移動させることが可能であり、
前記挟部を移動させて前記障害釘の胴部における第１位置に配置する第１ステップ（例えば、制御部５０１は、挟持部４０３を移動させて障害釘２００の胴部２００ａにおける第１位置に配置する）と、
前記挟部を前記第１位置において前記ＸＹ軸方向の一方向に傾ける第２ステップ（例えば、挟持部４０３を第１位置においてＸＹ軸方向の一方向に傾ける）と、
前記挟部を前記第１位置において前記ＸＹ軸方向の他方向に傾ける第３ステップ（例えば、挟持部４０３を第１位置においてＸＹ軸方向の他方向に傾ける）と、
前記挟部を前記第１位置から前記Ｚ軸方向へ移動させて該第１位置よりも前記遊技盤面から離れた第２位置に配置するとともに前記ＸＹ軸方向の一方向に傾ける第４ステップ（例えば、挟持部４０３を第１位置からＺ軸方向へ移動させて該第１位置よりも遊技盤面２ａから離れた第２位置に配置するとともにＸＹ軸方向の一方向に傾ける）と、
前記挟部を前記第２位置において前記ＸＹ軸方向の他方向に傾ける第５ステップ（例えば、挟持部４０３を第２位置においてＸＹ軸方向の他方向に傾ける）と、
を実行可能である（変形例）
ことを特徴としている。
この特徴によれば、挟部をＸＹ軸方向の一方向に傾けるだけでなく他方向に戻す動作を行うことで、胴部に対しバランスよく力を与えることができる。また、第１位置にてＺ軸方向に移動させずに、ＸＹ軸方向の一方向に傾けた後に他方向に戻すことで、障害釘において曲がりにくく、かつ、遊技盤面に対する障害釘の角度に与える影響が大きい胴部の基部側でしっかりと力を与えることができるため、障害釘を安定して整備することができる。
【手続補正２０】
【補正対象書類名】明細書
【補正対象項目名】００２４
【補正方法】変更
【補正の内容】
【００２４】
本発明に記載の障害釘整備方法は、
遊技機（例えば、パチンコ遊技機１）の遊技盤面（例えば、遊技盤面２ａ）に設けられた障害釘（例えば、障害釘２００）の胴部（例えば、胴部２００ａ）を挟むように配置可能な挟部（例えば、挟持部４０３、凹溝４１１Ｌ，４１１Ｒ／挟持部６０３）と、該挟部を動作させる動作手段（例えば、制御装置５００の制御部５０１、障害釘整備装置３００の整備用アーム３０１、整備用アーム３０１の駆動源など）と、を備えた障害釘整備装置（例えば、障害釘整備装置３００）の前記動作手段が前記挟部を動作させることで該挟部により前記胴部が挟まれた障害釘を整備する障害釘整備方法であって、
前記動作手段は、
前記挟部を前記遊技盤面に沿う方向であるＸＹ軸方向（例えば、前後左右方向）と該遊技盤面に対し直交する方向であるＺ軸方向（例えば、上下方向）とに移動させることが可能であり、
前記挟部を移動させて前記障害釘の胴部における第１位置に配置する第１ステップ（例えば、制御部５０１は、挟持部４０３を移動させて障害釘２００の胴部２００ａにおける第１位置に配置する）と、
前記挟部を前記第１位置において前記ＸＹ軸方向の一方向に傾ける第２ステップ（例えば、挟持部４０３を第１位置においてＸＹ軸方向の一方向に傾ける）と、
前記挟部を前記第１位置において前記ＸＹ軸方向の他方向に傾ける第３ステップ（例えば、挟持部４０３を第１位置においてＸＹ軸方向の他方向に傾ける）と、
前記挟部を前記第１位置から前記Ｚ軸方向へ移動させて該第１位置よりも前記遊技盤面から離れた第２位置に配置するとともに前記ＸＹ軸方向の一方向に傾ける第４ステップ（例えば、挟持部４０３を第１位置からＺ軸方向へ移動させて該第１位置よりも遊技盤面２ａから離れた第２位置に配置するとともにＸＹ軸方向の一方向に傾ける）と、
前記挟部を前記第２位置において前記ＸＹ軸方向の他方向に傾ける第５ステップ（例えば、挟持部４０３を第２位置においてＸＹ軸方向の他方向に傾ける）と、
を含む（変形例）
ことを特徴としている。
この特徴によれば、挟部をＸＹ軸方向の一方向に傾けるだけでなく他方向に戻す動作を行うことで、胴部に対しバランスよく力を与えることができる。また、第１位置にてＺ軸方向に移動させずに、ＸＹ軸方向の一方向に傾けた後に他方向に戻すことで、障害釘において曲がりにくく、かつ、遊技盤面に対する障害釘の角度に与える影響が大きい胴部の基部側でしっかりと力を与えることができるため、障害釘を安定して整備することができる。
【手続補正２１】
【補正対象書類名】明細書
【補正対象項目名】００２５
【補正方法】変更
【補正の内容】
【００２５】
本発明に記載の障害釘整備装置または障害釘整備方法は、手段１、３のいずれかに記載の障害釘整備装置または手段２、４のいずれかに記載の障害釘整備方法であって、
前記挟部は、前記遊技盤面（例えば、遊技盤２の遊技盤面２ａ）に並設された複数の障害釘（例えば、障害釘２００）各々の胴部（例えば、胴部２００ａ）を挟むように配置可能な複数の挟部（例えば、凹溝４１１Ｌ，４１１Ｒ）を有する
ことを特徴としている。
この特徴によれば、並設された複数の障害釘を一度に整備することができる。
【手続補正２２】
【補正対象書類名】明細書
【補正対象項目名】００２６
【補正方法】変更
【補正の内容】
【００２６】
本発明に記載の障害釘整備装置または障害釘整備方法は、
前記動作手段（例えば、制御装置５００の制御部５０１、障害釘整備装置３００の整備用アーム３０１、整備用アーム３０１の駆動源など）が前記挟部（例えば、挟持部４０３、凹溝４１１Ｌ，４１１Ｒ／挟持部６０３）を傾ける傾き角度は、傾ける動作を繰り返すごとに漸次小さくなる（例えば、図９〜図１２に示すように、所定角度θは、θ２＞θ３＞θ４＞θ６＞θ７＞θ８の関係とされている）
ことを特徴としている。
この特徴によれば、傾き角度を漸次小さくして収束させることで、障害釘を安定して整備することができる。
【手続補正２３】
【補正対象書類名】明細書
【補正対象項目名】００２７
【補正方法】変更
【補正の内容】
【００２７】
本発明に記載の障害釘整備装置または障害釘整備方法は、
前記動作手段（例えば、制御装置５００の制御部５０１、障害釘整備装置３００の整備用アーム３０１、整備用アーム３０１の駆動源など）が前記挟部（例えば、挟持部４０３、凹溝４１１Ｌ，４１１Ｒ／挟持部６０３）を前記Ｚ軸方向へ移動させる移動量は、移動を繰り返すごとに漸次小さくなる（例えば、図９及び図１０に示すように、移動量Ｍは、Ｍ１＞Ｍ２，３の関係とされている）
ことを特徴としている。
この特徴によれば、Ｚ軸方向への移動量を漸次小さくして収束させることで、障害釘を安定して整備することができる。
【手続補正２４】
【補正対象書類名】明細書
【補正対象項目名】００２８
【補正方法】変更
【補正の内容】
【００２８】
本発明に記載の障害釘整備装置または障害釘整備方法は、
前記動作手段（例えば、制御装置５００の制御部５０１、障害釘整備装置３００の整備用アーム３０１、整備用アーム３０１の駆動源など）が前記挟部（例えば、挟持部４０３、凹溝４１１Ｌ，４１１Ｒ／挟持部６０３）を傾けた状態で動作を停止する時間は、傾ける動作を繰り返すごとに漸次短くなる（例えば、停止時間は、図９において約０．６秒、図１０において約０．５秒、図１１及び図１２（Ａ）において約０．１秒の関係とされている）
ことを特徴としている。
この特徴によれば、動作停止時間を漸次小さくして収束させることで、障害釘を安定して整備することができる。
【手続補正２５】
【補正対象書類名】明細書
【補正対象項目名】００２９
【補正方法】変更
【補正の内容】
【００２９】
本発明に記載の障害釘整備装置または障害釘整備方法は、
前記遊技盤面（例えば、遊技盤面２ａ）を形成する遊技盤（例えば、遊技盤２）の材質に応じて、前記傾き角度、前記移動量、前記停止する時間のうち少なくともいずれか一つを補正する補正手段を備える（例えば、制御装置５００の制御部５０１は、遊技盤２の材質がベニヤかアクリルかに応じて、傾き角度、移動量、停止時間を補正する）
ことを特徴としている。
この特徴によれば、遊技盤の材質に適した整備を行うことができる。
【手続補正２６】
【補正対象書類名】明細書
【補正対象項目名】００３０
【補正方法】変更
【補正の内容】
【００３０】
本発明に記載の障害釘整備装置または障害釘整備方法は、
前記遊技盤面（例えば、遊技盤面２ａ）を形成する遊技盤（例えば、遊技盤２）の板厚と幅寸法とのうち少なくともいずれか一方に応じて、前記傾き角度、前記移動量、前記停止する時間のうち少なくともいずれか一つを補正する補正手段を備える（例えば、制御装置５００の制御部５０１は、遊技盤２の板厚や幅寸法に応じて、傾き角度、移動量、停止時間を補正する）
ことを特徴としている。
この特徴によれば、遊技盤の板厚や形状に適した整備を行うことができる。
【手続補正２７】
【補正対象書類名】明細書
【補正対象項目名】００３１
【補正方法】変更
【補正の内容】
【００３１】
本発明に記載の障害釘整備装置または障害釘整備方法は、
前記動作手段（例えば、制御装置５００の制御部５０１、障害釘整備装置３００の整備用アーム３０１、整備用アーム３０１の駆動源など）は、前記第２ステップにおいて前記挟部（例えば、挟持部４０３、凹溝４１１Ｌ，４１１Ｒ／挟持部６０３）を前記ＸＹ軸方向の一方向に傾けたときに該挟部が前記遊技盤面（例えば、遊技盤面２ａ）に接触しないように、前記第１ステップにおいて前記挟部が前記遊技盤面から所定距離離間するように前記第１位置に配置する（例えば、制御装置５００の制御部５０１は、第１位置では、図７（Ａ）に示すように、挟持部４０３の下面が遊技盤面２ａから離間され、その離間寸法Ｌ１０が約２．５ｍｍ（Ｌ１０＝２．５ｍｍ）となるように挟持部４０３を配置する）
ことを特徴としている。
この特徴によれば、挟部を動作させたときに遊技盤面に挟部が接触して遊技盤面が傷つくことを回避できる。
【手続補正２８】
【補正対象書類名】明細書
【補正対象項目名】００３２
【補正方法】変更
【補正の内容】
【００３２】
本発明に記載の障害釘整備装置または障害釘整備方法は、
前記動作手段（例えば、制御装置５００の制御部５０１、障害釘整備装置３００の整備用アーム３０１、整備用アーム３０１の駆動源など）は、前記遊技盤面（例えば、遊技盤面２ａ）に並設された複数のうち隣り合う障害釘との間隔が設計値よりも大きい場合、前記隣り合う障害釘の一方に配置した前記挟部（例えば、挟持部６０３）を他方に向けて傾けながら該他方へ移動させる（例えば、遊技盤面２ａに渡り２０３を挟んで左右に並設された隣り合う障害釘２００，２００との間隔が設計値よりも大きい場合、隣り合う障害釘２００の一方に配置した挟持部６０３を他方（例えば、左側）に向けてＺ軸に対し傾けながら、ＸＹ軸方向の他方（例えば、左側）へ向けて略平行に移動させる。図１５（Ｂ）参照）
ことを特徴としている。
この特徴によれば、挟部を大きく傾けて遊技盤面に接触させることなく、一方の障害釘を他方の障害釘に近づくように整備することができる。